(57)【要約】【課題】節水化により、便器に供給される洗浄水量を減らしても、追っかけ水を削減し、フロート内の空気を置換してフロートを正常に作動させることができる洗浄水タンク装置を提供する。【解決手段】本発明の洗浄水タンク装置16は、貯水タンク18内への洗浄水の給水及び止水を切り替える洗浄水供給装置22と、この洗浄水供給装置に取り付けられて洗浄水を貯水する小タンク34と、この小タンクの底面34ａの開口34ｂを開閉する開閉弁36と、小タンク内の水位の変動に応じて上下動可能であるフロートと、貯水タンクの排水口20を開閉する排水弁装置24と、有し、開閉弁は、小タンク内の水位の変動に応じて上下動する補助フロート部36ｄを備え、小タンク内の水位が、排水弁装置が排水口を閉鎖したとき又はそれ以降の水位位置を通過した後、小タンク内の水位が下降する速度を速める、小タンクの開口から貯水タンク内に排出される洗浄水の流量を増加させる。【選択図】図９ｄ
2014196645.tif 000002
【特許請求の範囲】
【請求項１】
便器に洗浄水を供給する洗浄水タンク装置であって、
便器に供給する洗浄水が貯水され且つ底面に排水口が配置された洗浄水タンクと、
この洗浄水タンクの外部の給水源に上流側が接続された給水管と、この給水管から上記洗浄水タンク内へ供給される洗浄水の給水及び止水を切り替える給水弁と、を備えた給水部と、
この給水部に取り付けられて洗浄水を貯水する貯水部と、
この貯水部の側面又は底面に形成された開口部を開閉する開閉弁と、
上記貯水部内に設けられ、浮力を発生させるための内部空間を形成し、上記貯水部内の水位の変動に応じて上下動可能であり、上記貯水部内の洗浄水が空状態のときに上記内部空間と外部との空気が互いに置換可能となるフロートと、
一方が上記フロートに接続されると共に他方が上記給水部の給水弁に接続され、上記フロートが上下動することにより、上記給水弁を開閉させる揺動部材と、
上記洗浄水タンクの排水口を開閉可能に設けられ、上記排水口を開放することにより上記洗浄水タンク内の洗浄水を上記便器へ排出し、上記排水口を閉鎖することにより上記洗浄水タンク内に洗浄水を貯える排水弁と、
上記貯水部内の水位の変動に応じて上下動することにより上記開閉弁を開閉させる補助フロート部を備え、上記貯水部内の水位が、上記排水弁が上記排水口を閉鎖したとき又はそれ以降の水位位置を通過した後、上記貯水部内の水位が下降する速度を速めることにより上記貯水部の開口部から上記洗浄水タンク内に排出される洗浄水の流量を増加させる排水増加手段と、
を有することを特徴とする洗浄水タンク装置。
【請求項２】
上記排水増加手段は、上記開閉弁により開閉される上記貯水部の開口部の開口面積を可変にすることにより、上記貯水部の開口部から上記洗浄水タンク内へ排出される洗浄水の流量を増加させる請求項１記載の洗浄水タンク装置。
【請求項３】
上記貯水部の開口部は、上記貯水部の底面に形成された単一の開口部であり、上記排水増加手段は、上記貯水部の底面の単一の開口部と、この単一の開口部を開閉する上記開閉弁と、この開閉弁に設けられた上記補助フロート部とにより構成され、
上記開閉弁は、上記洗浄水タンク内の洗浄水により浮力を発生させる浮力発生部と、上記単一の開口部を開閉する弁部と、この弁部から上方に延びてその上端部に上記補助フロート部が設けられた支持部と、を備え、この支持部は、上記弁部から上方に延びて上記単一の開口部に挿入可能である拡径部と、この拡径部から上方に延びて上記単一の開口部に挿入可能であり且つ断面が上記拡径部の断面よりも小さい縮径部と、を備え、上記支持部の拡径部及び縮径部が上下動することにより、上記単一の開口部の開口面積が可変になる請求項２記載の洗浄水タンク装置。
【請求項４】
上記貯水部の開口部は、上記貯水部の側面又は底面に形成された第１の開口部と、この第１の開口部以外に上記貯水部の底面に形成された第２の開口部と、を備え、上記開閉弁は、上記第１の開口部を開閉する第１の開閉弁と、上記第２の開口部を開閉する第２の開閉弁と、を備え、上記排水増加手段は、上記第２の開口部と、上記第２の開閉弁と、この第２の開閉弁に設けられた上記補助フロート部により構成され、
上記第２の開閉弁は、上記第２の開口部を開閉する弁部と、この弁部から上方に延びて上記第２の開口部に挿入可能な支持部と、この支持部の上端部に設けられた上記補助フロート部と、を備え、この補助フロート部は、上記貯水部内の水位が、上記排水弁が上記排水口を閉鎖したとき又はそれ以降の水位位置を通過した後、浮力を失って低下する請求項２記載の洗浄水タンク装置。
【請求項５】
請求項１乃至４の何れか１項に記載の洗浄水タンク装置を備えた水洗大便器。
【発明の詳細な説明】
【技術分野】
【０００１】
本発明は、洗浄水タンク装置、及び、この洗浄水タンク装置を備えた水洗大便器に係り、特に、便器に洗浄水を供給する洗浄水タンク装置、及び、この洗浄水タンク装置を備えた水洗大便器に関する。
【背景技術】
【０００２】
従来から、便器に洗浄水を供給する洗浄水タンク装置として、例えば、特許文献１に記載されているように、桶状に形成され且つその底面に開口が形成された小タンクと、この小タンク内に設けられたフロートを備え、小タンク内に貯められた洗浄水が閉開弁（逆止弁）付きの開口から排水されることにより小タンク内の水位がフロートと共に下降し、それと連動して給水弁が開弁するものが知られている。
このような従来の洗浄水供給装置では、排水弁が開弁してから洗浄水タンクの水位の下降が開始して排水弁が閉弁するまでの間に、給水弁が開弁して洗浄水タンク内に給水され、予め洗浄水タンクに貯水されていた水と共に便器に流される洗浄水（いわゆる「追っかけ水」）を低減するために、給水弁が開弁してタンク内に洗浄水が供給される給水弁開弁時間を調整することができる開弁時間調整手段を有し、給水弁が開弁する時間を遅らせている。
【先行技術文献】
【特許文献】
【０００３】
【特許文献１】特開２００９−２４３０５３号公報
【発明の概要】
【発明が解決しようとする課題】
【０００４】
しかしながら、近年の節水化により、タンク内に貯水される水が減り、死水水位（ＤＷＬ）と小タンク底面との差が短くなったため、小タンク内の水が開口から完全に排水される前に、給水弁からの給水によるタンク内の水位上昇にて、水位が小タンク底面に到達し、小タンクの底面の開口を開閉弁（逆止弁）が閉じてしまい、小タンク内に水が残存してしまうという問題がある。また、このように、小タンク内に水が残存すると、フロート内の空気を置換することができずに、次回の洗浄から十分な浮力を得られず、洗浄水タンク装置が正常に動作しなくなってしまうという問題もある。
【０００５】
そこで、本発明は、上述した従来技術の問題を解決するためになされたものであり、節水化により、洗浄水タンク内に貯水されて便器に供給される洗浄水量を減らしても、追っかけ水を削減することができると共に、フロート内の空気を置換してフロートを正常に作動させることができる洗浄水タンク装置、及び、この洗浄水タンク装置を備えた水洗大便器を提供することを目的としている。
【課題を解決するための手段】
【０００６】
上述した目的を達成するために、本発明は、便器に洗浄水を供給する洗浄水タンク装置であって、便器に供給する洗浄水が貯水され且つ底面に排水口が配置された洗浄水タンクと、この洗浄水タンクの外部の給水源に上流側が接続された給水管と、この給水管から上記洗浄水タンク内へ供給される洗浄水の給水及び止水を切り替える給水弁と、を備えた給水部と、この給水部に取り付けられて洗浄水を貯水する貯水部と、この貯水部の側面又は底面に形成された開口部を開閉する開閉弁と、上記貯水部内に設けられ、浮力を発生させるための内部空間を形成し、上記貯水部内の水位の変動に応じて上下動可能であり、上記貯水部内の洗浄水が空状態のときに上記内部空間と外部との空気が互いに置換可能となるフロートと、一方が上記フロートに接続されると共に他方が上記給水部の給水弁に接続され、上記フロートが上下動することにより、上記給水弁を開閉させる揺動部材と、上記洗浄水タンクの排水口を開閉可能に設けられ、上記排水口を開放することにより上記洗浄水タンク内の洗浄水を上記便器へ排出し、上記排水口を閉鎖することにより上記洗浄水タンク内に洗浄水を貯える排水弁と、上記貯水部内の水位の変動に応じて上下動することにより上記開閉弁を開閉させる補助フロート部を備え、上記貯水部内の水位が、上記排水弁が上記排水口を閉鎖したとき又はそれ以降の水位位置を通過した後、上記貯水部内の水位が下降する速度を速めることにより上記貯水部の開口部から上記洗浄水タンク内に排出される洗浄水の流量を増加させる排水増加手段と、を有することを特徴としている。
このように構成された本発明においては、貯水部内の水位が、排水弁が洗浄水タンクの排水口を閉鎖したとき又はそれ以降の水位位置を通過した後、貯水部内の水位が下降する速度を速めることにより貯水部の開口部から洗浄水タンク内に排出される洗浄水の流量を増加させる排水増加手段によって、排水弁が洗浄水タンクの排水口を開放している状態から排水口を閉鎖するまでは、貯水部内の水位及び補助フロート部が下降する速度を比較的遅くすることができるため、フロートについても貯水部内の水位の低下と共にゆっくりと下降し、揺動部材により給水弁が開弁して洗浄水タンク内への給水が開始されるタイミングを遅らせることができる。したがって、給水弁から洗浄水タンク内に給水された洗浄水が、予め洗浄水タンク内に貯水されていた洗浄水と共に便器に排出されてしまう無駄水（いわゆる、「追っかけ水」）を減らすことができる。また、貯水部内の水位が、排水弁が洗浄水タンクの排水口を閉鎖したとき又はそれ以降の水位位置を通過した後、排水増加手段により貯水部内の水位、フロート及び補助フロート部が下降する速度を容易に速めることができるため、貯水部内の洗浄水を短時間に排出して空状態にすることができる。この結果、浮力を発生させるためのフロートの内部空間と外部との空気を互いに置換することができるため、その後、貯水部内に洗浄水を供給することによりフロートを上昇させて給水弁の止水動作を行う際に、フロートが正常に作動するように浮力を発生させることができる。よって、節水化により、洗浄水タンク内に貯水されて便器に供給される洗浄水量を減らしても、追っかけ水を削減することができると共に、フロート内の空気を置換してフロートを正常に作動させることができる。
【０００７】
本発明において、好ましくは、上記排水増加手段は、上記開閉弁により開閉される上記貯水部の開口部の開口面積を可変にすることにより、上記貯水部の開口部から上記洗浄水タンク内へ排出される洗浄水の流量を増加させる。
このように構成された本発明においては、排水増加手段として、開閉弁により開閉される貯水部の開口部の開口面積を可変にすることにより、貯水部の開口部から洗浄水タンク内へ排出される洗浄水の流量を変化させることができるため、簡単な構造で、排水弁が洗浄水タンクの排水口を開放している状態から排水口を閉鎖するまでは、「追っかけ水」を減らすことができる。また、その後、貯水部内の水位が、排水弁が洗浄水タンクの排水口を閉鎖したとき又はそれ以降の水位位置を通過した後、排水増加手段により貯水部内の水位、フロート及び補助フロート部が下降する速度を容易に速めて貯水部内の洗浄水を短時間に排出して空状態にすることができるため、浮力を発生させるためのフロートの内部空間と外部との空気を互いに置換することができる。これにより、貯水部内に洗浄水を供給することによりフロートを上昇させて給水弁の止水動作を行う際に、フロートが正常に作動するように浮力を発生させることができる。これらの結果、節水化により、洗浄水タンク内に貯水されて便器に供給される洗浄水量を減らしても、追っかけ水を削減することができると共に、フロート内の空気を置換してフロートを正常に作動させることができる。
【０００８】
本発明において、好ましくは、上記貯水部の開口部は、上記貯水部の底面に形成された単一の開口部であり、上記排水増加手段は、上記貯水部の底面の単一の開口部と、この単一の開口部を開閉する上記開閉弁と、この開閉弁に設けられた上記補助フロート部とにより構成され、
上記開閉弁は、上記洗浄水タンク内の洗浄水により浮力を発生させる浮力発生部と、上記単一の開口部を開閉する弁部と、この弁部から上方に延びてその上端部に上記補助フロート部が設けられた支持部と、を備え、この支持部は、上記弁部から上方に延びて上記単一の開口部に挿入可能である拡径部と、この拡径部から上方に延びて上記単一の開口部に挿入可能であり且つ断面が上記拡径部の断面よりも小さい縮径部と、を備え、上記支持部の拡径部及び縮径部が上下動することにより、上記単一の開口部の開口面積が可変になる。
このように構成された本発明においては、排水増加手段が、貯水部の底面の単一の開口部と、この単一の開口部を開閉する開閉弁と、この開閉弁に設けられた補助フロート部とにより構成され、開閉弁の弁部から上方に延びる支持部が、貯水部の底面の単一の開口部に挿入可能な拡径部及び縮径部を備え、これらの拡径部及び縮径部が上下動することにより、貯水部の底面の単一の開口部の開口面積が可変されるため、貯水部の単一の開口部から洗浄水タンク内へ排出される洗浄水の流量について、拡径部及び縮径部の上下動に応じて容易に変化させることができる。特に、排水弁が洗浄水タンクの排水口を開放している状態から排水口を閉鎖するまでは、洗浄水タンク内の洗浄水により開閉弁の浮力発生部に浮力が発生し、開閉弁の弁部が上昇して貯水部の底面の単一の開口部を閉鎖している状態になるか、又は、洗浄水タンク内の洗浄水により開閉弁の浮力発生部に浮力が発生していない状態で且つ貯水部内の洗浄水により補助フロート部に浮力が発生している状態となっている。したがって、開閉弁の弁部が貯水部の底面の単一の開口部を開放している状態であっても、貯水部内の洗浄水は、開閉弁の支持部の拡径部と貯水部の単一の開口部との間に形成される比較的小さい開口面積で洗浄水タンク内に排出されるため、貯水部内の水位及び補助フロート部が下降する速度を比較的遅くすることができる。よって、開閉弁の簡単な構造で、排水弁が洗浄水タンクの排水口を開放している状態から排水口を閉鎖するまでは、「追っかけ水」を減らすことができる。また、その後、貯水部内の水位が、排水弁が洗浄水タンクの排水口を閉鎖したとき又はそれ以降の水位位置を通過した後、貯水部内の洗浄水により補助フロート部に浮力が発生している状態で、貯水部内の洗浄水は、開閉弁の支持部の縮径部と貯水部の単一の開口部との間に形成される比較的大きい開口面積で洗浄水タンク内に排出されるため、貯水部内の水位及び補助フロート部が下降する速度を速めることができ、貯水部内の洗浄水を短時間に排出して空状態にすることができる。したがって、浮力を発生させるためのフロートの内部空間と外部との空気を互いに置換することができるため、その後、貯水部内に洗浄水を供給することによりフロートを上昇させて給水弁の止水動作を行う際に、フロートが正常に作動するように浮力を発生させることができる。これらの結果、節水化により、洗浄水タンク内に貯水されて便器に供給される洗浄水量を減らしても、追っかけ水を削減することができると共に、フロート内の空気を置換してフロートを正常に作動させることができる。
【０００９】
本発明において、好ましくは、上記貯水部の開口部は、上記貯水部の側面又は底面に形成された第１の開口部と、この第１の開口部以外に上記貯水部の底面に形成された第２の開口部と、を備え、上記開閉弁は、上記第１の開口部を開閉する第１の開閉弁と、上記第２の開口部を開閉する第２の開閉弁と、を備え、上記排水増加手段は、上記第２の開口部と、上記第２の開閉弁と、この第２の開閉弁に設けられた上記補助フロート部により構成され、上記第２の開閉弁は、上記第２の開口部を開閉する弁部と、この弁部から上方に延びて上記第２の開口部に挿入可能な支持部と、この支持部の上端部に設けられた上記補助フロート部と、を備え、この補助フロート部は、上記貯水部内の水位が、上記排水弁が上記排水口を閉鎖したとき又はそれ以降の水位位置を通過した後、浮力を失って低下する。
このように構成された本発明においては、排水増加手段が、第２の開口部と、第２の開閉弁と、この第２の開閉弁に設けられた補助フロート部により構成され、第２の開閉弁が、第２の開口部を開閉する弁部と、この弁部から上方に延びて第２の開口部に挿入可能な支持部と、この支持部の上端部に設けられた補助フロート部とを備え、第１の開閉弁と第２の開閉弁の各々が上下動して開閉することにより、貯水部の第１の開口部及び第２の開口部の総開口面積が可変されるため、貯水部の第１の開口部及び第２の開口部から洗浄水タンク内へ排出される洗浄水の流量について、容易に変化させることができる。特に、排水弁が洗浄水タンクの排水口を開放している状態から排水口を閉鎖するまでは、洗浄水タンク内の洗浄水により第１の開閉弁及び第２の開閉弁の各々が、第１の開口部及び第２の開口部の各々を閉鎖している状態になるか、又は、洗浄水タンク内の洗浄水により第１の開閉弁が第１の開口部を開放している状態で且つ貯水部内の洗浄水により第２の開閉弁の補助フロート部に浮力が発生して第２の開閉弁が第２の開口部を閉鎖している状態となっている。したがって、貯水部内の洗浄水は、第１の開閉弁が開放する第１の開口部のみから比較的小さい開口面積で洗浄水タンク内に排出されるため、貯水部内の水位及び補助フロート部が下降する速度を比較的遅くすることができる。よって、簡単な構造で、排水弁が洗浄水タンクの排水口を開放している状態から排水口を閉鎖するまでは、「追っかけ水」を減らすことができる。また、その後、貯水部内の水位が、排水弁が洗浄水タンクの排水口を閉鎖したとき又はそれ以降の水位位置を通過した後、貯水部内の洗浄水により第２の開閉弁の補助フロート部に浮力が発生している状態で、貯水部内の洗浄水は、第１の開閉弁が開放する第１の開口部と第２の開閉弁が開放する第２の開口部の双方から比較的大きい開口面積で洗浄水タンク内に排出されるため、貯水部内の水位及び第２の開閉弁の補助フロート部が下降する速度を速めることができ、貯水部内の洗浄水を短時間に排出して空状態にすることができる。したがって、浮力を発生させるためのフロートの内部空間と外部との空気を互いに置換することができるため、その後、貯水部内に洗浄水を供給することによりフロートを上昇させて給水弁の止水動作を行う際に、フロートが正常に作動するように浮力を発生させることができる。これらの結果、節水化により、洗浄水タンク内に貯水されて便器に供給される洗浄水量を減らしても、追っかけ水を削減することができると共に、フロート内の空気を置換してフロートを正常に作動させることができる。
【００１０】
つぎに、本発明は、上記洗浄水タンク装置を備えた水洗大便器である。
このように構成された本発明においては、節水化により、洗浄水タンク内に貯水されて便器に供給される洗浄水量を減らしても、追っかけ水を削減することができると共に、フロートを正常に作動させる洗浄水タンク装置を備えた水洗大便器を提供することができる。
【発明の効果】
【００１１】
本発明の洗浄水タンク装置によれば、節水化により、洗浄水タンク内に貯水されて便器に供給される洗浄水量を減らしても、追っかけ水を削減することができると共に、フロート内の空気を置換してフロートを正常に作動させることができる。
【図面の簡単な説明】
【００１２】
【図１】本発明の第１実施形態による洗浄水タンク装置が適用された水洗大便器において、便座及び便蓋を取り外した状態を示す斜視図である。
【図２】本発明の第１実施形態による洗浄水タンク装置の内部構造を示す正面断面図である。
【図３】本発明の第１実施形態による洗浄水タンク装置を示す正面断面図である。
【図４】本発明の第１実施形態による洗浄水タンク装置において、給水時（開弁時）の状態の洗浄水供給装置について部分的に拡大した部分拡大断面図である。
【図５】本発明の第１実施形態による洗浄水タンク装置において、止水時（閉弁時）の状態の洗浄水供給装置について部分的に拡大した部分拡大断面図である。
【図６】図４に示す本発明の第１実施形態による洗浄水タンク装置の開閉弁について部分的に拡大した部分拡大断面図である。
【図７】図５に示す本発明の第１実施形態による洗浄水タンク装置の開閉弁について部分的に拡大した部分拡大断面図である。
【図８】本発明の第１実施形態による洗浄水タンク装置において、排水弁装置の排水弁の開閉状態、貯水タンク内の水位、洗浄水供給装置の給水弁の開閉状態、及び小タンク内の水位のそれぞれの変化について時系列に説明するタイムチャートである。
【図９ａ】本発明の第１実施形態による洗浄水タンク装置において、洗浄水供給装置のフロート及び開閉弁の動作を概略的に説明した図である。
【図９ｂ】本発明の第１実施形態による洗浄水タンク装置において、洗浄水供給装置のフロート及び開閉弁の動作を概略的に説明した図である。
【図９ｃ】本発明の第１実施形態による洗浄水タンク装置において、洗浄水供給装置のフロート及び開閉弁の動作を概略的に説明した図である。
【図９ｄ】本発明の第１実施形態による洗浄水タンク装置において、洗浄水供給装置のフロート及び開閉弁の動作を概略的に説明した図である。
【図９ｅ】本発明の第１実施形態による洗浄水タンク装置において、洗浄水供給装置のフロート及び開閉弁の動作を概略的に説明した図である。
【図９ｆ】本発明の第１実施形態による洗浄水タンク装置において、洗浄水供給装置のフロート及び開閉弁の動作を概略的に説明した図である。
【図９ｇ】本発明の第１実施形態による洗浄水タンク装置において、洗浄水供給装置のフロート及び開閉弁の動作を概略的に説明した図である。
【図９ｈ】本発明の第１実施形態による洗浄水タンク装置において、洗浄水供給装置のフロート及び開閉弁の動作を概略的に説明した図である。
【図１０ａ】本発明の第２実施形態による洗浄水タンク装置において、洗浄水供給装置のフロート、第１の開閉弁及び第２の開閉弁に関する構造及び動作を概略的に説明した図である。
【図１０ｂ】本発明の第２実施形態による洗浄水タンク装置において、洗浄水供給装置のフロート、第１の開閉弁及び第２の開閉弁に関する構造及び動作を概略的に説明した図である。
【図１０ｃ】本発明の第２実施形態による洗浄水タンク装置において、洗浄水供給装置のフロート、第１の開閉弁及び第２の開閉弁に関する構造及び動作を概略的に説明した図である。
【図１０ｄ】本発明の第２実施形態による洗浄水タンク装置において、洗浄水供給装置のフロート、第１の開閉弁及び第２の開閉弁に関する構造及び動作を概略的に説明した図である。
【図１０ｅ】本発明の第２実施形態による洗浄水タンク装置において、洗浄水供給装置のフロート、第１の開閉弁及び第２の開閉弁に関する構造及び動作を概略的に説明した図である。
【図１０ｆ】本発明の第２実施形態による洗浄水タンク装置において、洗浄水供給装置のフロート、第１の開閉弁及び第２の開閉弁に関する構造及び動作を概略的に説明した図である。
【発明を実施するための形態】
【００１３】
つぎに、添付図面により、本発明の第１実施形態による洗浄水タンク装置、及び、この洗浄水タンク装置を備えた水洗大便器について説明する。
まず、図１により、本発明の第１実施形態による洗浄水タンク装置が適用された水洗便器について説明する。
図１は、本発明の第１実施形態による洗浄水タンク装置が適用された水洗大便器において、便座及び便蓋を取り外した状態を示す斜視図である。
【００１４】
図１に示すように、符号１は、サイホン作用を利用してボウル部内の汚物を吸い込んで排水トラップ管路から一気に外部に排出する、いわゆる、サイホン式の水洗大便器であり、この水洗大便器１は、陶器製の便器本体２を備え、この便器本体２には、ボウル部４と、このボウル部４の下部と連通するトラップ管路６がそれぞれ形成されている。
便器本体２のボウル部４の上縁部には、内側にオーバーハングしたリム８と、便器本体２の後方側の内部に形成される導水路（図示せず）から供給される洗浄水を吐水する第１吐水口１０が形成され、この第１吐水口１０から吐水された洗浄水は、旋回しながら下降してボウル部４を洗浄するようになっている。
【００１５】
ボウル部４の下方には、溜水面が鎖線Ｗ０で示された溜水部１２が形成されている。この溜水部１２の下方には、排水トラップ管路６の入口６ａが開口し、この入口６ａから後方の排水トラップ管路６は排水ソケット（図示せず）を介して床下の排出管（図示せず）に接続されている。
また、ボウル部４の溜水面Ｗ０の上方位置には、便器本体２の後方側の内部に形成される導水路（図示せず）から供給される洗浄水を吐水する第２吐水口１４が形成され、この第２吐水口１４から吐水される洗浄水が溜水部１２の溜水を上下方向に旋回させる旋回流を生じさせるようになっている。
【００１６】
便器本体２の後方側の上面には、便器本体２に供給する洗浄水を貯水する本発明の第１実施形態による洗浄水タンク装置１６が設けられている。
なお、本実施形態では、上述したサイホン式の水洗大便器に洗浄水タンク装置１６を適用した例について説明するが、このようなサイホン式の水洗大便器に限定されず、ボウル部内の水の落差による流水作用で汚物を押し流す、いわゆる、洗い落し式の水洗大便器等の他のタイプの水洗便器にも適用可能である。
【００１７】
つぎに、図２により、本発明の第１実施形態による洗浄水タンク装置１６の内部構造について説明する。
図２は、本発明の第１実施形態による洗浄水タンク装置の内部構造を示す正面断面図である。なお、図２においては、貯水タンクの満水水位、止水水位及び死水水位のそれぞれをＷＬ０、ＷＬ１及びＤＷＬで示している。また、洗浄水タンク装置の洗浄水供給装置による給水が開始される貯水タンク内の水位及び小タンク内の水位のそれぞれをＷＬ２及びｗ１でそれぞれ示している。
【００１８】
図１及び図２に示すように、洗浄水タンク装置１６は、水洗大便器１を洗浄する洗浄水を貯水する貯水タンク１８を備え、この貯水タンク１８の底面１８ａには、便器本体２の導水路（図示せず）と連通する排水口２０が形成され、貯水タンク１８内の洗浄水が便器本体２の導水路（図示せず）へと供給されるようになっている。また、貯水タンク１８は、便器の種類に応じて、貯水する洗浄水の量が異なっている。
【００１９】
図２に示すように、洗浄水タンク装置１６の貯水タンク１８内には、この貯水タンク１８内に洗浄水を供給する洗浄水供給装置２２と、貯水タンク１８に貯えられた洗浄水について排水口２０を開放して便器本体２の導水路（図示せず）に流出させる排水弁装置２４が設けられている。
【００２０】
排水弁装置２４の構成については、従来の排水弁装置の構成と同様であるため、具体的な説明は省略するが、貯水タンク１８の外部に取り付けられた操作レバー２６を大洗浄又は小洗浄の所定の洗浄モードを実行させる方向に回動操作を行うことにより、操作レバー２６に連結された操作ワイヤ２８が連動して排水弁装置２４の弁体２４ａを引き上げると、排水口２０が所定時間開放され、貯水タンク１８内の洗浄水が便器本体２の導水路（図示せず）に一定量排出されるようになっている。
【００２１】
つぎに、図２〜図４を参照して、本発明の第１実施形態による洗浄水タンク装置における洗浄水供給装置の詳細について説明する。
まず、図３は、本発明の第１実施形態による洗浄水タンク装置を示す正面断面図であり、図４は、本発明の第１実施形態による洗浄水タンク装置において、給水時（開弁時）の状態の洗浄水供給装置について部分的に拡大した部分拡大断面図であり、図５は、本発明の第１実施形態による洗浄水タンク装置において、止水時（閉弁時）の状態の洗浄水供給装置について部分的に拡大した部分拡大断面図である。なお、図３及び図４については、一次側給水路及び二次側給水路内の給水の流れを矢印で示している。
【００２２】
図２〜図５に示すように、洗浄水供給装置２２は、貯水タンク１８の外部の給水源（図示せず）に接続され且つ貯水タンク１８の底面１８ａから上方に延びる給水管３０と、この給水管３０の上方且つ側方に設けられ且つ給水管３０から給水される洗浄水の貯水タンク１８内への吐水と止水を切り替えるダイアフラム式の給水バルブ３２とを備えている。
また、洗浄水供給装置２２は、給水管３０に着脱可能に取り付けられる小タンク３４を備え、この小タンク３４の底面３４ａに上下方向に貫くように単一の開口３４ｂが形成されている。この小タンク３４の開口３４ｂには、上下動することにより開口３４ｂを開閉する開閉弁３６が取り付けられている。
さらに、洗浄水供給装置２２は、小タンク３４内に設けられたフロート３８を備え、このフロート３８は、小タンク３４内の水位の変動に応じて上下動するようになっている。
【００２３】
また、洗浄水供給装置２２は、一方がフロート３８に接続されると共に、他方が給水バルブ３２に接続され、フロート３８が上下動することにより、給水バルブ３２の近傍の支点Ｐを中心に揺動して給水バルブ３２を開閉させる揺動部材４０を備えている。
さらに、洗浄水供給装置２２は、給水管３０の上方且つ側方に固定されて給水管３０に対する小タンク３４の上下方向の位置を調整することができる小タンク位置調整用の固定軸部材４２と、揺動部材４０の先端部とフロート３８とを接続するように取り付けられ、フロート３８のほぼ中央部に形成された取付穴３８ａに螺合されて揺動部材４０の先端部とフロート３８との鉛直方向の相対位置を調整可能な調整用軸部材４４とを備えている。
【００２４】
図２〜図５に示すように、給水管３０は、貯水タンク１８の底面１８ａに取り付けられ、外部の水道等の給水源（図示せず）に接続され、洗浄水を貯水タンク１８内に供給するようになっている。この給水管３０の中心部には、上下方向に延びるように１次側給水路３０ａが形成され、給水管３０の内部且つ１次側給水路３０ａの外側部には、２次側給水路３０ｂが形成され、この２次側給水路３０ｂの下端部に形成された流出口３０ｃから貯水タンク１８内に洗浄水が供給されるようになっている。
【００２５】
また、図３〜図５に示すように、給水管３０の上端部には、その内部に給水路を形成する給水路形成部材４６が設けられ、この給水路形成部材４６の給水路３０内に挿入されている部分の中心部には、給水管３０の１次側給水路３０ａと接続される１次側給水路４６ａが上下方向に延びるように形成されている。
さらに、この給水路形成部材４６の１次側給水路４６ａ内には、給水をろ過するためのフィルター部材４８が取り付けられている。
【００２６】
さらに、給水路形成部材４６の上方の内部には、水平方向に延びる中心軸Ａ１を持つ２次側給水路４６ｂが形成され、この２次側給水路４６ｂの下流側は、給水管３０の二次側給水路３０ｂと連通している。
また、給水路形成部材４６の上下方向に延びる１次側給水路４６ａと給水路形成部材４６の水平方向に延びる２次側給水路４６ｂとの間に介在するように、ダイアフラム式の給水バルブ３２が設けられている。
図４及び図５に示すように、給水バルブ３２は、水平方向に延びる中心軸Ａ１を持つバルブハウジング３２ａと、このハブルハウジング３２ａの中心軸Ａ１に取り付けられ且つこの中心軸Ａ１に沿って図４及び図５の左右方向に移動可能なダイアフラム３２ｂと、このダイアフラム３２ｂに取り付けられ、バルブハウジング３２ａ内においてダイアフラム３２ｂと共に一体的に図４及び図５の左右方向に移動可能な弁体３２ｃとを備えている。
【００２７】
このダイアフラム３２ｂには、中心軸Ａ１と平行に延びるブリード穴３２ｄが形成され、このブリード穴３２ｄにより、給水路形成部材４６の１次側給水路４６ａとダイアフラム３２ｂの側方側にある背圧室３２ｅとが連通されている。この背圧室３２ｅの側部には、パイロット穴３２ｆが形成されている。
【００２８】
さらに、図４及び図５に示すように、給水バルブ３２のバルブハウジング３２ａの側方には、揺動部材４０がバルブハウジング３２ａの端部に位置する支点Ｐを中心に揺動可能に取り付けられ、この揺動部材４０は、揺動により給水バルブ３２のパイロット穴３２ｆを開閉する弁部材４０ａを備え、この揺動部材４０の弁部材４０ａが給水バルブ３２のパイロット穴３２ｆを開閉することにより、給水バルブ３２による給水及び止水を切り替えることができるようになっている。
なお、図４においては、小タンク３４内の水位がほぼ零となり、フロート３８が最低位置まで下降するように揺動部材４０が支点Ｐを中心に揺動した結果、弁部材４０ａが給水バルブ３２のパイロット穴３２ｆを開放し、弁体３２ｃが図５の左側に移動し、給水路形成部材４６の２次側給水路４６ｂの上流側端部に位置する弁座４６ｃを開放した状態（給水状態）を示している。
一方、図５においては、フロート３８が最高位置まで上昇するように揺動部材４０が支点Ｐを中心に揺動した結果、弁部材４０ａが給水バルブ３２のパイロット穴３２ｆを閉鎖することにより、弁体３２ｃが図５の右側に移動し、２次側給水路４６ｂの上流側端部に位置する弁座４６ｃを閉鎖した状態（止水状態）を示している。
【００２９】
また、図４及び図５に示すように、給水路形成部材４６の水平方向に延びる２次側給水路４６ｂの上方には、補給水装置５０が設けられ、この補給水装置５０の側部には、給水路形成部材４６の２次側給水路４６ｂから補給水装置５０内に流入した水の一部を分岐して補給水として貯水タンク１８内にリフィールさせる補給水管５０ａが形成されている。
【００３０】
つぎに、図４及び図５を参照して、小タンク３４及びフロート３８の詳細について説明する。
まず、図４及び図５に示すように、小タンク３４は、その鉛直方向の最大長さが水平方向（長手方向）の最大長さよりも短くなるような概ね横長の扁平形状に形成されている。この小タンク３４は、貯水タンク１８に取り付けた状態の給水管３０の側方に着脱可能に取り付けられる給水管取付け部３４ｃと、底面３４ａのほぼ中央部から上下方向に延びるように形成され、固定軸部材４２の一部が挿入されて螺合されることにより小タンク３４の上下方向の位置を固定する固定部３４ｄとを備えている。このような小タンク３４内に収容される洗浄水の容積が異なる小タンクを複数用意することにより、便器洗浄に使用される貯水タンク１８内の洗浄水量に応じて、これに合わせた容積の小タンク３４を適宜に付け替えることができるようになっている。
【００３１】
つぎに、フロート３８は、樹脂材料で形成され、小タンク３４内に収容可能に外周が概ね小タンク３４の内部形状に合わせた形状に形成されている。
また、図３〜図５に示すように、フロート３８の下方のみが開口している形状となっており、フロート３８の内部空間には、この内部空間内の空気と小タンク３４内の洗浄水により浮力を発生させる浮力発生部３８ｂを備えている。
さらに、フロート３８は、小タンク３４内の水位の変動に応じて上下動可能であり、図４に示すように、小タンク３４内の洗浄水が空状態のときに、浮力発生部３８ｂの内部空間の空気とフロート３８の外部との空気が、フロート３８の下端部３８ｃと小タンク３４の底面３４ａとの間の隙間等を介して互いに置換可能となっている。
【００３２】
また、図５は、フロート３８が止水時に上昇して小タンク３４内の洗浄水による浮力と釣り合う位置にあるときの小タンク３４及びフロート３８内の水位を符号ｗ０で示している。このとき、フロート３８の内部空間（浮力発生部３８ｂ）内に空気が滞留しており、フロート３８の内部空間内に小タンク３４内の洗浄水がほとんど流入していないが、フロート３８の下端部３８ｃ付近の洗浄水の水圧により、このフロート３８内の水位ｗ０は、フロート３８の下端部３８ｃよりもわずかに上方に位置している。
また、この小タンク３４及びフロート３８内の水位ｗ０は、実質的には、小タンク３４内のフロート３８以外の部分がほぼ満水となる水位であり、フロート３８の下降が開始し、図２に示す洗浄水供給装置２２による給水が開始されるときの小タンク３４内の水位WL１よりも高い水位となっている。
【００３３】
つぎに、図６及び図７を参照して、小タンク３４の開口３４ｂを開閉する開閉弁３６の詳細について説明する。
図６は、図４に示す本発明の第１実施形態による洗浄水タンク装置の開閉弁について部分的に拡大した部分拡大断面図であり、図７は、図５に示す本発明の第１実施形態による洗浄水タンク装置の開閉弁について部分的に拡大した部分拡大断面図である。
図６及び図７に示すように、小タンク３４の開口３４ｂを開閉する開閉弁３６は、貯水タンク１８内の洗浄水の水位によって上下動可能となるように水よりも比重が小さい材料（例えば、樹脂材料等）で形成されている。この開閉弁３６は、小タンク３４の底面３４ａの開口３４ｂを開閉可能に且つこの開口３４ｂの下側から挿入して取り付けられ、貯水タンク１８内の洗浄水の水位による浮力により上下動することができるようになっている。
【００３４】
より具体的に開閉弁３６の構造を説明すると、開閉弁３６は、図６及び図７に示すように、開閉弁３６の下端部に設けられ且つ貯水タンク１８内の洗浄水により浮力を発生させる浮力発生部３６ａを備えている。
また、開閉弁３６は、上下動することにより単一の開口３４ｂを開閉する概ね円筒形状（円板状）で内側に空間が形成された弁部３６ｂを備えている。この弁部３６ｂは、小タンク３４の開口３４ｂの開口断面積Ｓ０よりも大きい横断面積Ｓ１を備え、貯水タンク１８内の洗浄水の水位が小タンク３４の底部近傍付近及びそれ以上の水位であるときに、浮力発生部３６ａで発生した浮力により上昇し、小タンク３４の単一の開口３４ｂの下縁部に当接することにより開口３４ｂを閉鎖するようになっている（図７参照）。一方、弁部３６ｂは、貯水タンク１８内の洗浄水の水位が小タンク３４の底部近傍付近及びそれ以下の水位であるときに、小タンク３４の底面３４ａの開口３４ｂの位置よりも下降し、単一の開口３４ｂを開放するようになっている（図６参照）。
【００３５】
さらに、開閉弁３６は、図６及び図７に示すように、弁部３６ｂから上方に延びるように形成され且つ開口３４ｂの開口断面積Ｓ０よりも小さい横断面積を備えた支持部３６ｃを備えている。
また、開閉弁３６は、この支持部３６ｃの上端部に設けられ且つ小タンク３４内の洗浄水の水位の変動に応じて上下動する補助フロート部３６ｄを備えている。この補助フロート部３６ｄは、内部に空間が形成された概ね円筒形状であり、小タンク３４の開口３４ｂの開口断面積Ｓ０よりも大きい横断面積Ｓ２を備え、図７に示すように、小タンク３４内の洗浄水により浮力を発生するようになっている。さらに、図６に示すように、小タンク３４内の洗浄水が空状態となり、開閉弁３６が下降したときには、補助フロート部３６ｄの下端部３６ｅが小タンク３４の開口３４ｂの上縁部に当接し、開閉弁３６が小タンク３４から脱落しないようになっている。
【００３６】
また、開閉弁３６の支持部３６ｃは、弁部３６ｂから上方に延びて小タンク３４の開口３４ｂに挿入可能な拡径部３６ｆと、この拡径部３６ｆから上方に延びて小タンク３４の開口３４ｂに挿入可能であり且つ拡径部３６ｆの横断面積Ｓ３よりも小さい横断面積Ｓ４を有する縮径部３６ｇとを備えている。支持部３６ｃの拡径部３６ｆ及び縮径部３６ｇが上下動することにより、開閉弁３６の支持部３６ｃの拡径部３６ｆが小タンク３４の開口３４ｂを通過するときの拡径部３６ｆの外周面と小タンク３４の開口３４ｂの周面との間に形成される開口面積Ｓ５（小タンク３４の開口３４ｂの開口断面積Ｓ０から開閉弁３６の拡径部３６ｆの横断面積Ｓ３を差し引いた面積（Ｓ５＝Ｓ０−Ｓ３））が比較的小さくなり、開閉弁３６の支持部３６ｃの縮径部３６ｇが小タンク３４の開口３４ｂを通過するときの縮径部３６ｇの外周面と小タンク３４の開口３４ｂの周面との間に形成される開口面積Ｓ６（小タンク３４の開口３４ｂの開口断面積Ｓ０から開閉弁３６の縮径部３６ｆの横断面積Ｓ４を差し引いた面積（Ｓ６＝Ｓ０−Ｓ４））が、拡径部３６ｆの外周面と小タンク３４の開口３４ｂの周面との間の開口面積Ｓ５よりも大きくなり、開閉弁３６が小タンク３４の開口３４ｂを開放している状態の開口面積が開閉弁３６の高さ位置に応じて可変になっている。
このように、開閉弁３６により開閉される小タンク３４の開口３４ｂの開口面積が比較的小さい開口面積Ｓ５からこの開口面積Ｓ５よりも大きい開口面積Ｓ６へ可変にすることにより、小タンク３４の開口３４ｂから貯水タンク１８内へ排出される洗浄水の流量を増加させることができるようになっている。
【００３７】
なお、本実施形態における開閉弁３６については、それ自体が水よりも比重が小さい材料（例えば、樹脂材料）で形成されており、開閉弁３６の浮力発生部３６ａがその内部に空気を溜めるスペースを形成するような形態であるが、この浮力発生部３６ａについては、水よりも比重が小さい材料（例えば、樹脂材料）で中実に形成し、空気を溜めるスペースをなくした形態にしてもよい。
【００３８】
さらに、図７に示すように、貯水タンク１８の水位が上昇したときには、この貯水タンク１８の水位によって、開閉弁３６が浮力により小タンク３４の開口３４ｂを迅速に閉鎖することができるようになっている。これにより、貯水タンク１８の水位が小タンク３４の上縁３４ｅを乗り越えて洗浄水が小タンク３４内に流入する直前まで、小タンク３４内を洗浄水が空の状態にしてフロート３８を下降させた状態にすることができ、洗浄水が小タンク３４の上縁３４ｅを乗り越えて洗浄水が小タンク３４内に流入したときに、フロート３８を迅速に上昇させて給水バルブ３２を速やかに止水することができるようになっている。
【００３９】
上述した小タンク３４の底面３４ａの単一の開口３４ｂ、この開口３４ｂを開閉する開閉弁３６、及びこの開閉弁３６の各部３６ａ〜３６ｇは、小タンク３４内の水位が下降し、排水弁装置２４の弁体２４ａが排水口２０を閉鎖した以降の所定水位ｗ１の位置を通過した後、小タンク３４内の水位が下降する速度を、排水弁装置２４の弁体２４ａが排水口２０を開放しているときよりも速めることにより小タンク３４の開口３４ｂから貯水タンク１８内に排出される洗浄水の流量を増加させる排水増加手段として機能するようになっている。
【００４０】
つぎに、図１〜図９を参照して、本発明の第１実施形態による洗浄水タンク装置、及び、この洗浄水タンク装置を備えた水洗大便器の動作（作用）を説明する。
図８は、本発明の第１実施形態による洗浄水タンク装置において、排水弁装置の排水弁の開閉状態、貯水タンク内の水位、洗浄水供給装置の給水弁の開閉状態、及び小タンク内の水位のそれぞれの変化について時系列に説明するタイムチャートであり、図９ａ〜図９ｈは、本発明の第１実施形態による洗浄水タンク装置において、洗浄水供給装置のフロート及び開閉弁の動作を概略的に説明した図である。
なお、以下、本発明の第１実施形態による洗浄水タンク装置により実行される大洗浄モードと小洗浄モードの２種類の洗浄モードのうち、大洗浄モード時の操作ワイヤ２８による排水弁装置２４の弁体２４ａの引き上げ量が小洗浄モード時よりも大きくなり、貯水タンク１８の排水口２０を開放している時間が長い点と、大洗浄モード時の死水水位ＤＷＬが小洗浄モード時よりも低くなる点以外については、大洗浄モードと小洗浄モードの基本動作は共通しているため、大洗浄モードについてのみ説明する。
【００４１】
まず、図２、図５、図７、図８及び図９ａに示すように、時刻ｔ０における排水弁装置２４の排水開始前の状態（止水状態）では、排水弁装置２４の弁体２４ａが排水口２０を閉止しており、貯水タンク１８内の初期水位が満水水位ＷＬ０となり、フロート３８の浮力発生部３８ｂ以外の上端部よりも下方部分が水没し、小タンク３４及び開閉弁３６の全体も水没している。
【００４２】
その後、図８の時刻ｔ１で使用者が操作レバー２６（図２参照）を操作すると、図９ａに示すように、排水弁装置２４の弁体２４ａが操作ワイヤ２８により高さＨ１まで引き上げられ、貯水タンク１８の排水口２０を開放する。そして、洗浄水タンク装置１６の排水弁装置２４による水洗大便器１の便器本体２への大洗浄モードの排水が開始され、貯水タンク１８内の水位が満水水位ＷＬ０から低下する。
そして、図２、図５、図７及び図９ａに示すように、貯水タンク１８の水位が小タンク３４の上縁３４ｅ付近の水位ＷＬ１よりも低下すると、小タンク３４内の水位が満水水位ｗ０で維持されながら、小タンク３４の外部の貯水タンク１８内の水位のみが低下する。これにより、フロート３８は、小タンク３４内の洗浄水による浮力により、上昇して静止した状態に維持されている。
また、開閉弁３６については、貯水タンク１８内の洗浄水の水位が水位ＷＬ１から小タンク３４の底面３４ａの近傍付近の水位ＷＬ２まで低下している間は、貯水タンク１８内の洗浄水によって開閉弁３６の浮力発生部３６ａ及び弁部３６ｂで発生している浮力と、小タンク３４内の洗浄水によって開閉弁３６の補助フロート部３６ｄで発生している浮力とにより上昇し、小タンク３４の開口３４ｂが開閉弁３６の弁部３６ｂによって閉止されている。そして、フロート３８は小タンク３４内の洗浄水による浮力により、上昇して静止した状態に維持されているため、洗浄水供給装置２２の給水バルブ３２は閉弁しており、貯水タンク１８内への給水は行われていない。
【００４３】
つぎに、図８の時刻ｔ１以後、貯水タンク１８内の洗浄水の水位が下降すると、この貯水タンク１８内の水位と共に排水弁装置２４の弁体２４ａが下降し、図８の時刻ｔ２で貯水タンク１８内の洗浄水の水位が小タンク３４の底面３４ａの近傍付近の水位ＷＬ２よりも低下し続けると、開閉弁３６の浮力発生部３６ａ及び弁部３６ｂの部分が浮力を失い、開閉弁３６全体が下降し、図９ｂに示すように、小タンク３４の開口３４ｂが開放される。
このとき、図９ｂに示すように、開閉弁３６は、小タンク３４内の洗浄水による補助フロート部３６ｄに作用する浮力により浮いた状態となり、小タンク３４内の水位が下降する速度Ｖ１（以下「小タンク水位下降速度Ｖ１」）と等しい比較的ゆっくりとした速度で下降する。すなわち、小タンク３４の開口３４ｂは、開閉弁３６の支持部３６ｃの拡径部３６ｆの部分が小タンク３４の開口３４ｂを通過している状態となり、拡径部３６ｆの外周面と小タンク３４の開口３４ｂの周面との間に形成される開口面積Ｓ５（小タンク３４の開口３４ｂの開口断面積Ｓ０から開閉弁３６の拡径部３６ｆの横断面積Ｓ３を差し引いた面積（Ｓ５＝Ｓ０−Ｓ３））は比較的小さく、小タンク３４内の洗浄水が開口３４ｂから貯水タンク１８内に排出される流量Ｑ１も比較的少ないため、小タンク水位下降速度Ｖ１は、貯水タンク１８内の水位が下降する速度Ｖ２に比べて遅く（Ｖ１＜Ｖ２）、小タンク３４内の水位は満水水位から比較的ゆっくりと下降する。
【００４４】
つぎに、図８の時刻ｔ３で貯水タンク１８内の水位が死水水位ＤＷＬまで下降すると、図９ｂに示すように、排水弁装置２４の弁体２４ａが下降して再び排水口２０を閉止する。
そして、図８の時刻ｔ４で、図９ｃに示すように、小タンク３４内の水位が、洗浄水供給装置２２から貯水タンク１８内への給水が開始されるときの水位ｗ１まで低下し、フロート３８が下降し、図３に示すように、洗浄水供給装置２２の揺動部材４０が給水バルブ３２を開弁し、給水管３０の２次側給水路の流出口３０ｃから貯水タンク１８内への給水が開始され、貯水タンク１８内の水位ＷＬ３が死水水位ＤＷＬよりも速度Ｖ３で上昇する。
また、図８の時刻ｔ２から時刻ｔ４までの期間においては、図９ｃに示すように、開閉弁３６は、小タンク３４内の洗浄水による補助フロート部３６ｄに作用する浮力により浮いた状態となり、開閉弁３６の支持部３６ｃの拡径部３６ｆが小タンク３４の開口３４ｂを通過している状態となり、拡径部３６ｆの外周面と小タンク３４の開口３４ｂの周面との間に形成される開口面積Ｓ５（＝Ｓ０−Ｓ３）は比較的小さくなる。そして、小タンク３４内の洗浄水による浮力によって浮いているフロート３８及び開閉弁３６の補助フロート部３６ｄは、小タンク水位下降速度Ｖ１と等しい比較的ゆっくりとした速度で下降している。
【００４５】
つぎに、図８の時刻ｔ４の後、図９ｄに示すように、小タンク３４内の水位がさらに水位ｗ２まで低下して開閉弁３６が下降すると、開閉弁３６の支持部３６ｃの縮径部３６ｇの部分が小タンク３４の開口３４ｂを通過している状態となり、縮径部３６ｇの外周面と小タンク３４の開口３４ｂの周面との間に形成される開口面積Ｓ６（小タンク３４の開口３４ｂの開口断面積Ｓ０から開閉弁３６の縮径部３６ｆの横断面積Ｓ４を差し引いた面積（Ｓ６＝Ｓ０−Ｓ４））が、拡径部３６ｆの外周面と小タンク３４の開口３４ｂの周面との間の開口面積Ｓ５よりも増大する。したがって、小タンク３４内の洗浄水が開口３４ｂから貯水タンク１８内に排出される流量Ｑ２も、図８の時刻ｔ２から時刻ｔ４までの期間に小タンク３４内の洗浄水が開口３４ｂから貯水タンク１８内に排出される流量Ｑ１に比べて増大するため、洗浄水供給装置２２から給水されている状態の貯水タンク１８内の洗浄水は、小タンク３４の開口３４ｂから貯水タンク１８内に排出される洗浄水の流量が増大した分だけ、図９ｃに示す貯水タンク１８内の水位が上昇する速度Ｖ３よりも速い速度Ｖ４で水位ＷＬ４まで上昇する。
また、小タンク３４内の水位が下降する速度Ｖ５（以下「小タンク水位下降速度Ｖ５」）についても、排水弁装置２４の弁体２４ａが排水口２０を閉止する以前の図８の時刻ｔ２から時刻ｔ４までの期間の小タンク水位下降速度Ｖ１よりも速められる。そして、小タンク３４内の洗浄水による浮力によって浮いているフロート３８及び開閉弁３６の補助フロート部３６ｄは、速められた小タンク水位下降速度Ｖ５と等しい速度で下降する。
【００４６】
つぎに、図８の時刻ｔ５で小タンク３４内の洗浄水のすべてが開口３４ｂから貯水タンク１８内に流出し、図９ｅに示すように、小タンク３４内の洗浄水が空の状態になると、フロート３８及び開閉弁３６の補助フロート部３６ｄは、小タンク３４内の洗浄水による浮力を完全に失っているため、急速に下降し、フロート３８の下端部３８ｂが小タンク３４の底面３４ａに接触する。
また、開閉弁３６全体が下降し、その補助フロート部３６ｄの下端部３６ｅが小タンク３４の開口３４ｂの上縁部に当接し、開閉弁３６全体が小タンク３４の開口３４ｂからぶら下がった状態となる。このとき、洗浄水供給装置２２から貯水タンク１８への給水が継続されているため、貯水タンク１８内の洗浄水は、開閉弁３６の浮力発生部３６ａの下面の高さ位置よりも低い位置の水位ＷＬ５まで速度Ｖ６で上昇する。また、この貯水タンク１８の水位ＷＬ５が上昇する速度Ｖ６は、小タンク３４の開口３４ｂから貯水タンク１８内に排出される洗浄水がない分だけ、図９ｄに示す貯水タンク１８の水位ＷＬ４が上昇する速度Ｖ４よりも遅くなる。
さらに、図９ｅに示すように、小タンク３４内の洗浄水が空の状態では、フロート３８は最低位置まで下降した状態であり、浮力発生部３８ｂの内部空間の空気とフロート３８の外部との空気が、フロート３８の下端部３８ｃと小タンク３４の底面３４ａとの間の隙間等を介して互いに置換される。
【００４７】
つぎに、図８の時刻ｔ５の後、洗浄水供給装置２２から貯水タンク１８への給水が継続され、図９ｆに示すように、貯水タンク１８内の水位が図９ｅに示す貯水タンク１８の水位ＷＬ５が上昇する速度Ｖ６と等しい速度でさらに上昇し、開閉弁３６の浮力発生部３６ａの下端面に接触し、この上昇する水位ＷＬ６が開閉弁３６をさらに上昇させる。そして、図９ｅで小タンク３４の開口３４ｂの上縁部に当接していた状態の開閉弁３６の補助フロート部３６ｄの下端部３６ｅについても、図９ｆに示すように、貯水タンク１８の水位ＷＬ６が上昇する速度Ｖ６と等しい速度で上昇し、小タンク３４の開口３４ｂは、開口面積Ｓ６で開放された状態となる。また、図９ｆに示すように、小タンク３４内についても、依然として空の状態となる。
【００４８】
つぎに、洗浄水供給装置２２から貯水タンク１８への給水が継続され、図９ｇに示すように、貯水タンク１８内の水位が小タンク３４の底面３４ａに近接する水位ＷＬ７まで速度Ｖ６でさらに上昇すると、開閉弁３６も上昇して弁部３６ｂが小タンク３４の単一の開口３４ｂの下縁部に当接することにより開口３４ｂを閉鎖する。このとき、小タンク３４内は、依然として空の状態であり、フロート３８は最低位置まで下降した状態であるため、給水バルブ３２は開弁している状態が維持される。
【００４９】
つぎに、図８の時刻ｔ６において、図９ｈに示すように、貯水タンク１８の水位が小タンク３４の上縁３４ｅの位置よりも高い位置まで速度Ｖ６で上昇すると、貯水タンク１８内の水位が小タンク３４の上縁３４ｅを乗り越えて小タンク３４内に流入し、この小タンク３４内の水位が急激に上昇して満水となる。このとき、フロート３８の浮力発生部３８ｂは、以前に図９ｅに示す状態のときに外部の空気と置換されてから十分な空気で満たされているため、フロート３８は、貯水タンク１８の水位が上昇する速度Ｖ６よりも速い速度Ｖ７で急激に最高位置まで上昇し、給水バルブ３２が速やかに閉弁し、洗浄水供給装置２２から貯水タンク１８への給水が止水される。また、図５及び図９ｈに示すように、フロート３８の内部空間（浮力発生部３８ｂ）内に空気が滞留しており、フロート３８の内部空間内に小タンク３４内の洗浄水がほとんど流入していないが、フロート３８の下端部３８ｃ付近の洗浄水の水圧により、この小タンク３４内の水位ｗ０は、フロート３８の下端部３８ｃよりもわずかに上方に位置している。
また、開閉弁３６についても、貯水タンク１８内の洗浄水によって開閉弁３６の浮力発生部３６ａ及び弁部３６ｂで発生している浮力と、小タンク３４内の洗浄水によって開閉弁３６の補助フロート部３６ｄで発生している浮力とにより上昇した状態が維持され、小タンク３４の開口３４ｂが開閉弁３６の弁部３６ｂによって閉止されている状態となる。
最終的には、貯水タンク１８内の水位は、図９ｈに示すように、満水水位ＷＬ０となり、本実施形態の洗浄水タンク装置１６により実行される大洗浄モードの一連の動作が完結される。
【００５０】
上述した本発明の第１実施形態による洗浄水タンク装置１６によれば、図８の時刻ｔ３で排水弁装置２４の弁体２４ａが貯水タンク１８の排水口２０を閉鎖した後の図８の時刻ｔ４で、小タンク３４の開口３４ｂから貯水タンク１８内に排出される洗浄水の流量を増加させる排水増加手段として、開閉弁３６により開閉される小タンク３４の開口３４ｂの開口面積について、開閉弁３６の拡径部３６ｆの外周面と小タンク３４の開口３４ｂの周面との間に形成される開口面積Ｓ５に設定したり、開閉弁３６の縮径部３６ｇの外周面と小タンク３４の開口３４ｂの周面との間に形成される開口面積Ｓ６に設定して可変させることにより、小タンク３４の開口３４ｂから貯水タンク１８内へ排出される洗浄水の流量を変化させることができる。したがって、簡単な構造で、排水弁装置２４の弁体２４ａが貯水タンク１８の排水口２０を開放している状態から排水口２０を閉鎖するまでは、洗浄水供給装置２２から貯水タンク１８内に給水された洗浄水が、予め貯水タンク１８内に貯水されていた洗浄水と共に便器本体２に排出されてしまう無駄水（いわゆる、「追っかけ水」）を減らすことができる。
【００５１】
また、図８の時刻ｔ３で排水弁装置２４の弁体２４ａが貯水タンク１８の排水口２０を閉鎖し（図９ｂ参照）、その後、図８の時刻ｔ４で、図９ｄに示すように、小タンク３４内の水位が水位ｗ１の位置を通過し、小タンク３４内の水位下降速度が、速度Ｖ１（図９ｃ参照）から速度Ｖ５（図９ｄ参照）に速められることにより、小タンク３４の開口３４ｂから貯水タンク１８内に排出される洗浄水の流量を増加させることができる。したがって、排水弁装置２４の弁体２４ａが貯水タンク１８の排水口２０を開放している状態から排水口２０を閉鎖するまでは、小タンク２４内の水位及び開閉弁３６の補助フロート部３６ｄが下降する速度を比較的遅くすることができるため、フロート３８についても小タンク３４内の水位の低下と共にゆっくりと下降し、揺動部材４０により給水バルブ３２が開弁して貯水タンク１８内への給水が開始されるタイミングを遅らせることができる。したがって、給水バルブ３２から貯水タンク１８内に給水された洗浄水が、予め貯水タンク１８内に貯水されていた洗浄水と共に便器に排出されてしまう無駄水（いわゆる、「追っかけ水」）を減らすことができる。
【００５２】
さらに、小タンク３４内の水位が、排水弁装置２４の弁体２４ａが貯水タンク１８の排水口２０を閉鎖した以降の水位ｗ２の位置（図９ｄ参照）を通過した後、小タンク３４内の水位、フロート３８及び開閉弁３６の補助フロート部３６ｄが下降する速度を容易に速めることができるため、小タンク３４内の洗浄水を短時間に排出して空状態（図９ｅ参照）にすることができる。この結果、浮力を発生させるためのフロート３８の浮力発生部３６ａの内部空間と外部との空気を互いに置換することができるため、その後、小タンク３４内に洗浄水を供給することによりフロート３８を上昇させて給水バルブ３２の止水動作を行う際に、フロート３８が正常に作動するように浮力を発生させることができる。よって、節水化により、貯水タンク１８内に貯水されて便器本体２に供給される洗浄水量を減らしても、追っかけ水を削減することができると共に、フロート３８内の空気を置換してフロート３８を正常に作動させることができる。
【００５３】
さらに、本実施形態による洗浄水タンク装置１６によれば、排水弁装置２４の弁体２４ａが貯水タンク１８の排水口２０を閉鎖した後、小タンク３４の開口３４ｂから貯水タンク１８内に排出される洗浄水の流量を増加させる排水増加手段として、小タンク３４の底面３４ａの単一の開口３４ｂと、この単一の開口３４ｂを開閉する開閉弁３６と、この開閉弁３６に設けられた補助フロート部３６ｄとにより構成し、開閉弁３６の弁部３６ｂから上方に延びる支持部３６ｃが、小タンク３４の底面３４ａの単一の開口３４ｂに挿入可能な拡径部３６ｆ及び縮径部３６ｇを備え、これらの拡径部３６ｆ及び縮径部３６ｇが上下動することにより、小タンク３４の底面３４ａの単一の開口３４ｂの開口面積が開口面積Ｓ５や開口面積Ｓ６に可変になるため、小タンク３４の単一の開口３４ｂから貯水タンク１８内へ排出される洗浄水の流量について、開閉弁３６の拡径部３６ｆ及び縮径部３６ｇの上下動に応じて容易に変化させることができる。
【００５４】
特に、図８の時刻ｔ１で洗浄水タンク装置１６による洗浄モードが開始され、排水弁装置２４の弁体２４ａが貯水タンク１８の排水口２０を開放している状態から、図８の時刻ｔ３で排水口２０を閉鎖するまでは、貯水タンク１８内の洗浄水により開閉弁３６の浮力発生部３６ａに浮力が発生し、開閉弁３６の弁部３６ｂが上昇して小タンク３４の底面３４ａの単一の開口３４ｂを閉鎖している状態になるか、又は、貯水タンク１８内の洗浄水により開閉弁３６の浮力発生部３６ａに浮力が発生していない状態で且つ小タンク３４内の洗浄水により開閉弁３６の補助フロート部３６ｄに浮力が発生している状態となっている。したがって、図８の時刻ｔ２から時刻ｔ４までの期間で開閉弁３６の弁部３６ｂが小タンク３４の底面３４ａの単一の開口３４ｂを開放している状態であっても、小タンク３４内の洗浄水は、開閉弁３６の支持部３６ｃの拡径部３６ｆと小タンク３４の単一の開口３４ｂとの間に形成される比較的小さい開口面積Ｓ５で貯水タンク１８内に排出されるため、小タンク３４内の水位及び開閉弁３６の補助フロート部３６ｄが下降する速度Ｖ１（図９ｂ及び図９ｃ参照）を比較的遅くすることができる。よって、開閉弁３６の簡単な構造で、排水弁装置２４の弁体２４ａが貯水タンク１８の排水口２０を開放している状態から排水口２０を閉鎖するまでは、「追っかけ水」を減らすことができる。
【００５５】
また、図８の時刻ｔ４の後、図９ｄに示すように、小タンク３４内の水位が、排水弁装置２４の弁体２４ａが貯水タンク１８の排水口２０を閉鎖した以降の水位ｗ２の位置を通過すると、小タンク３４内の洗浄水により開閉弁３６の補助フロート部３６ｄに浮力が発生している状態で、小タンク３４内の洗浄水は、開閉弁３６の支持部３６ｃの縮径部３６ｇと小タンク３４の単一の開口３４ｂとの間に形成される比較的大きい開口面積Ｓ６で貯水タンク１８内に排出されるため、小タンク３４内の水位及び開閉弁３６の補助フロート部３６ｄが下降する速度Ｖ５を速めることができ、小タンク３４内の洗浄水を短時間に排出して空状態にすることができる。したがって、浮力を発生させるためのフロート３８の浮力発生部３８ｂの内部空間と外部との空気を互いに置換することができるため、その後、小タンク３４内に洗浄水を供給することによりフロート３８を上昇させて給水弁の止水動作を行う際に、フロート３８が正常に作動するように浮力を発生させることができる。これらの結果、節水化により、貯水タンク１８内に貯水されて便器本体２に供給される洗浄水量を減らしても、追っかけ水を削減することができると共に、フロート３８の浮力発生部３８ｂ内の空気を置換してフロート３８を正常に作動させることができる。
【００５６】
なお、上述した本実施形態の洗浄水タンク装置１６においては、小タンク３４の底面３４ａに単一の開口３４ｂを設けた形態について説明したが、この開口については、小タンク３４の側壁面の下部等に設けてもよい。
また、本実施形態の洗浄水タンク装置１６においては、小タンク３４内の水位が下降する速度Ｖ５を排水弁装置２４の弁体２４ａが排水口２０を開放しているときの小タンク水位下降速度Ｖ１よりも速めるタイミングについて、図８の時刻ｔ３で排水弁装置２４の弁体２４ａが排水口２０を閉鎖した後の図８の時刻ｔ４に設定し、小タンク３４の開口３４ｂから貯水タンク１８内に排出される洗浄水の流量を流量Ｑ１から流量Ｑ２に増加させる形態について説明したが、このような形態に限られず、他の形態についても適用可能である。例えば、他の形態として、小タンク３４内の水位が下降する速度Ｖ５を排水弁装置２４の弁体２４ａが排水口２０を開放しているときの速度Ｖ１よりも速めるタイミングについては、図８の時刻ｔ３で排水弁装置２４の弁体２４ａが排水口２０を閉鎖したときと同時に設定してもよい。
【００５７】
つぎに、図１０ａ〜図１０ｆを参照して、本発明の第２実施形態による洗浄水タンク装置について説明する。
図１０ａ〜図１０ｆは、本発明の第２実施形態による洗浄水タンク装置において、洗浄水供給装置のフロート、第１の開閉弁及び第２の開閉弁に関する構造及び動作を概略的に説明した図である。
【００５８】
まず、図１０ａ〜図１０ｆに示すように、本発明の第２実施形態による洗浄水タンク装置１１６においては、小タンク１３４の底面１３４ａに第１の開口１３４ｂと第２の開口１３４ｃの二つの開口が形成されており、各開口１３４ｂ，１３４ｃには、第１の開閉弁１３６と第２の開閉弁２３６が上下動可能に取り付けられている構造が、第１実施形態の洗浄水タンク装置１６の構造と異なっており、その他の部分については第１実施形態と同一の構成である。したがって、以下、図１０ａ〜図１０ｆにおいて、上述した本発明の第１実施形態による洗浄水タンク装置の部分と同一部分については同一の符号を付し、これらの説明は省略し、第１実施形態と異なる部分のみについて説明する。
【００５９】
図１０ａに示すように、小タンク１３４の底面１３４ａの第１の開口１３４ｂに開閉可能に取り付けられている第１の開閉弁１３６は、その下端部に設けられ且つ貯水タンク１８内の洗浄水により浮力を発生させる浮力発生部１３６ａと、上下動することにより第１の開口１３４ｂを開閉する概ね円筒形状（円板状）で内側に空間が形成された弁部１３６ｂと、この弁部１３６ｂから上方に延びる支持部１３６ｃと、この支持部１３６ｃから外側に突出して形成され且つ第１の開閉弁１３６の落下を防止する突起部１３６ｄとを備えている。弁部１３６ｂは、小タンク１３４の第１の開口１３４ｂの開口断面積Ｓ１００よりも大きい横断面積Ｓ１０１を備え、貯水タンク１８内の洗浄水の水位が小タンク１３４の底部近傍付近及びそれ以上の水位であるときに、浮力発生部１３６ａで発生した浮力により上昇し、小タンク１３４の第１の開口１３４ｂの下縁部に当接することにより第１の開口１３４ｂを閉鎖するようになっている（図１０ａ参照）。一方、弁部１３６ｂは、貯水タンク１８内の洗浄水の水位が小タンク１３４の底部近傍付近及びそれ以下の水位であるときに、小タンク１３４の底面１３４ａの第１の開口１３４ｂの位置よりも下降し、第１の開口１３４ｂを開放するようになっている（図１０ｂ参照）。
なお、本実施形態における第１の開閉弁１３６については、それ自体が水よりも比重が小さい材料（例えば、樹脂材料）で形成されており、第１の開閉弁１３６の浮力発生部１３６ａがその内部に空気を溜めるスペースを形成するような形態であるが、この浮力発生部１３６ａについては、水よりも比重が小さい材料（例えば、樹脂材料）で中実に形成し、空気を溜めるスペースをなくした形態にしてもよい。
【００６０】
また、小タンク１３４の底面１３４ａの第２の開口１３４ｃに開閉可能に取り付けられている第２の開閉弁２３６は、その下端部に設けられ且つ貯水タンク１８内の洗浄水により浮力を発生させる浮力発生部２３６ａと、上下動することにより第２の開口１３４ｃを開閉する概ね円筒形状（円板状）で内側に空間が形成された弁部２３６ｂと、この弁部２３６ｂから上方に延びる支持部２３６ｃと、この支持部２３６ｃの上端部に設けられた補助フロート部２３６ｄとを備えている。弁部２３６ｂは、小タンク１３４の第２の開口１３４ｃの開口断面積Ｓ２００よりも大きい横断面積Ｓ２０１を備えている。また、補助フロート部２３６ｄは、内部に空間が形成された概ね円筒形状であり、小タンク１３４の第２の開口１３４ｃの開口断面積Ｓ２００よりも大きい横断面積Ｓ２０２を備えている。さらに、支持部２３６ｃは、第２の開口１３４ｃの開口断面積Ｓ２００よりも小さい横断面積Ｓ２０３を備えている。
なお、本実施形態における第２の開閉弁２３６については、それ自体が水よりも比重が小さい材料（例えば、樹脂材料）で形成されており、第２の開閉弁２３６の浮力発生部２３６ａがその内部に空気を溜めるスペースを形成するような形態であるが、この浮力発生部２３６ａについては、水よりも比重が小さい材料（例えば、樹脂材料）で中実に形成し、空気を溜めるスペースをなくした形態にしてもよい。
【００６１】
つぎに、図１０ａ〜図１０ｆを参照して、本発明の第２実施形態による洗浄水タンク装置、及び、この洗浄水タンク装置を備えた水洗大便器の動作（作用）を説明する。
なお、以下、本発明の第２実施形態による洗浄水タンク装置により実行される大洗浄モードと小洗浄モードの２種類の洗浄モードのうち、基本動作は共通しているため、大洗浄モードについてのみ説明する。
まず、図１０ａに示すように、排水弁装置２４の排水開始前の状態（止水状態）では、排水弁装置２４の弁体２４ａが排水口２０を閉止しており、貯水タンク１８内の初期水位が満水水位ＷＬ１００となり、フロート３８の浮力発生部３８ｂ以外の上端部よりも下方部分が水没し、小タンク１３４、第１の開閉弁１３６及び第２の開閉弁２３６の全体も水没している。
【００６２】
つぎに、使用者が操作レバー２６（図２参照）を操作すると、図１０ａに示すように、排水弁装置２４の弁体２４ａが操作ワイヤ２８により高さＨ１まで引き上げられ、貯水タンク１８の排水口２０を開放する。そして、洗浄水タンク装置１１６の排水弁装置２４による水洗大便器１の便器本体２への大洗浄モードの排水が開始され、貯水タンク１８内の水位が満水水位ＷＬ１００から低下する。
そして、図１０ａに示すように、貯水タンク１８の水位が小タンク１３４の上縁１３４ｅ付近の水位ＷＬ１０１よりも低下すると、小タンク１３４内の水位が満水水位ｗ１００で維持されながら、小タンク１３４の外部の貯水タンク１８内の水位のみが低下する。これにより、フロート３８は、小タンク１３４内の洗浄水による浮力により、上昇して静止した状態に維持されている。
また、第１の開閉弁１３６については、図１０ａに示すように、貯水タンク１８内の洗浄水の水位が水位ＷＬ１０１から小タンク１３４の底面１３４ａの近傍付近の水位ＷＬ１０２まで低下している間は、貯水タンク１８内の洗浄水によって第１の開閉弁１３６の浮力発生部１３６ａ及び弁部１３６ｂで発生している浮力により上昇し、小タンク１３４の第１の開口１３４ｂが開閉弁１３６の弁部１３６ｂによって閉止されている。
さらに、第２の開閉弁２３６については、図１０ａに示すように、貯水タンク１８内の洗浄水によって第２開閉弁２３６の浮力発生部２３６ａ及び弁部２３６ｂで発生している浮力と、小タンク１３４内の洗浄水によって第２の開閉弁２３６の補助フロート部２３６ｄで発生している浮力とにより上昇し、小タンク１３４の開口１３４ｂが第２の開閉弁２３６の弁部２３６ｂによって閉止されている。そして、フロート３８は小タンク１３４内の洗浄水による浮力により、上昇して静止した状態に維持されているため、洗浄水供給装置２２の給水バルブ３２は閉弁しており、貯水タンク１８内への給水は行われていない。
【００６３】
つぎに、図１０ｂに示すように、貯水タンク１８内の洗浄水の水位が死水水位ＤＷＬに向って下降すると、この貯水タンク１８内の水位と共に排水弁装置２４の弁体２４ａが下降し、貯水タンク１８内の洗浄水の水位が死水水位ＤＷＬになると、排水弁装置２４の弁体２４ａが排水口２０を閉止する。貯水タンク１８内の洗浄水の水位が死水水位ＤＷＬに向って下降している間、貯水タンク１８内の洗浄水の水位が小タンク１３４の底面１３４ａの近傍付近の水位ＷＬ１０２よりも低下し続けると、第１の開閉弁１３６の浮力発生部１３６ａ及び弁部１３６ｂの部分が浮力を失い、第１の開閉弁１３６全体が下降し、小タンク１３４の第１の開口１３４ｂが開放される。このとき、第１の開閉弁１３６の突起部１３６ｄが小タンク１３４の底面１３４ａに当接し、第１の開閉弁１３６全体が小タンク１３４の底面１３４ａからぶら下がった状態となる。
【００６４】
一方、図１０ｂに示すように、第２の開閉弁２３６は、小タンク１３４内の洗浄水による補助フロート部２３６ｄに作用する浮力により上昇した状態となり、第２の開閉弁２３６の弁部２３６ｂが小タンク１３４の第２の開口１３４ｃを閉鎖している。
したがって、図１０ｂに示す小タンク１３４内の洗浄水は、第１の開閉弁１３６によって開放されている開口面積Ｓ１００の第１の開口１３４ｂのみから貯水タンク１８内に排出されるが、この第１の開口１３４ｂの開口面積Ｓ１００は比較的小さい面積であるため、小タンク１３４の第１の開口１３４ｂから貯水タンク１８内に排出される流量Ｑ１０１も比較的小さくなる。また、小タンク１３４内の水位が下降する速度Ｖ１０１（以下「小タンク水位下降速度Ｖ１０１」）についても、満水水位ｗ１００から比較的ゆっくりとした速度となるため、小タンク水位下降速度Ｖ１０１は、貯水タンク１８内の水位が下降する速度Ｖ１０２に比べて遅く（Ｖ１０１＜Ｖ１０２）、小タンク１３４内の水位は満水水位から比較的ゆっくりと下降する。
【００６５】
つぎに、図１０ｃに示すように、小タンク１３４内の水位がさらに水位ｗ１０１まで低下すると、フロート３８も小タンク１３４内の水位低下と共に下降し、給水バルブ３２が開弁し、洗浄水供給装置２２から貯水タンク１８への給水が開始される。このとき、第２の開閉弁２３６についても下降し、小タンク１３４の第２の開口１３４ｃが開放され、小タンク１３４内の洗浄水が、この開放された第２の開口１３４ｃからも貯水タンク１８内に流量Ｑ１０２で排出される。このとき、図１０ｃに示す小タンク１３４内の洗浄水は、第１の開閉弁１３６によって開放されている開口面積Ｓ１００の第１の開口１３４ｂと、第２の開閉弁２３６によって開放されている開口面積Ｓ２００の第２の開口１３４ｃの双方から貯水タンク１８内に排出されるため、図１０ｂに示す小タンク１３４の第１の開口１３４ｂのみが開放されている場合に比べて、開放されている総開口面積（Ｓ１００＋Ｓ２００）が増大する。したがって、小タンク１３４の第１の開口１３４ｂ及び第２の開口１３４ｃの双方から貯水タンク１８内に排出される洗浄水の総流量（Ｑ１０１＋Ｑ１０２）が増大するため、小タンク１３４内の水位が下降する速度Ｖ１０３（以下「小タンク水位下降速度Ｖ１０３」）についても、排水弁装置２４の弁体２４ａが排水口２０を閉止する以前の小タンク水位下降速度Ｖ１０１よりも速められる。そして、小タンク１３４内の洗浄水による浮力によって浮いているフロート３８及び第２の開閉弁２３６の補助フロート部３６ｄは、速められた小タンク水位下降速度Ｖ１０３と等しい速度で下降する。
また、貯水タンク１８内の水位は、小タンク１３４の第１の開口１３４ｂ及び第２の開口１３４ｃの双方から貯水タンク１８内に排出される洗浄水と、洗浄水供給装置２２から給水されている洗浄水とにより死水水位ＤＷＬから水位ＷＬ１０３へ速度Ｖ１０４で上昇する。
【００６６】
つぎに、図１０ｄに示すように、小タンク１３４内の洗浄水のすべてが第１の開口１３４ｂ及び第２の開口１３４ｃから貯水タンク１８内に流出し、小タンク１３４内の洗浄水が空の状態になると、フロート３８及び第２の開閉弁２３６の補助フロート部２３６ｄは、小タンク１３４内の洗浄水による浮力を完全に失っているため、急速に下降し、フロート３８の下端部３８ｂが小タンク１３４の底面１３４ａに接触する。
また、第２の開閉弁２３６全体が下降し、その補助フロート部２３６ｄの下端部２３６ｅが小タンク１３４の第２の開口１３４ｃの上縁部に当接し、第２の開閉弁２３６全体が小タンク１３４の第２の開口１３４ｃからぶら下がった状態となる。このとき、洗浄水供給装置２２から貯水タンク１８への給水が継続されているため、貯水タンク１８内の洗浄水は、第２の開閉弁２３６の浮力発生部２３６ａの下面の高さ位置よりも低い位置の水位ＷＬ１０４まで速度Ｖ１０５で上昇する。また、この貯水タンク１８の水位ＷＬ１０４が上昇する速度Ｖ１０５は、小タンク１３４の第１の開口１３４ｂ及び第２の開口１３４ｃから貯水タンク１８内に排出される洗浄水がない分だけ、図１０ｃに示す貯水タンク１８の水位ＷＬ１０３が上昇する速度Ｖ１０４よりも遅くなる。
さらに、図１０ｄに示すように、小タンク１３４内の洗浄水が空の状態では、フロート３８は最低位置まで下降した状態であり、浮力発生部３８ｂの内部空間の空気とフロート３８の外部との空気が、フロート３８の下端部３８ｃと小タンク１３４の底面１３４ａとの間の隙間等を介して互いに置換される。
【００６７】
つぎに、図１０ｅに示すように、洗浄水供給装置２２から貯水タンク１８への給水が継続され、貯水タンク１８内の水位が小タンク１３４の底面３４ａに近接する水位ＷＬ１０２まで上昇すると、第１の開閉弁１３６及び第２の開閉弁２３６の双方も上昇し、各弁部１３６ｂ，２３６ｂが小タンク１３４の各開口１３４ｂ，１３４ｃの下縁部にそれぞれ当接し、各開閉弁１３６，２３６により小タンク１３４の各開口１３４ｂ，１３４ｃが閉鎖される。このとき、小タンク１３４内は、依然として空の状態であり、フロート３８は最低位置まで下降した状態であるため、給水バルブ３２は開弁している状態が維持される。
【００６８】
つぎに、図１０ｆに示すように、貯水タンク１８の水位が小タンク１３４の上縁１３４ｅの位置よりも高い位置まで上昇すると、貯水タンク１８内の水位が小タンク１３４の上縁１３４ｅを乗り越えて小タンク１３４内に流入し、この小タンク１３４内の水位が急激に上昇して満水となる。このとき、フロート３８の浮力発生部３８ｂは、以前に図１０ｄに示す状態のときに外部の空気と置換されてから十分な空気で満たされているため、フロート３８は、貯水タンク１８の水位が上昇する速度Ｖ１０５よりも速い速度Ｖ１０６で急激に最高位置まで上昇し、給水バルブ３２が速やかに閉弁し、洗浄水供給装置２２から貯水タンク１８への給水が止水される。
また、図１０ｆに示すように、フロート３８の内部空間（浮力発生部３８ｂ）内に空気が滞留しており、フロート３８の内部空間内に小タンク１３４内の洗浄水がほとんど流入していないが、フロート３８の下端部３８ｃ付近の洗浄水の水圧により、この小タンク１３４内の水位ｗ１００は、フロート３８の下端部３８ｃよりもわずかに上方に位置している。
また、各開閉弁１３６，２３６についても、貯水タンク１８内の洗浄水によって各浮力発生部１３６ａ，２３６ａ及び各弁部１３６ｂ，２３６ｂで発生している浮力と、小タンク１３４内の洗浄水によって各補助フロート部１３６ｄ，２３６ｄで発生している浮力とにより上昇した状態が維持され、小タンク１３４の各開口１３４ｂ，１３４ｃが各開閉弁１３６，２３６の各弁部１３６ｂ，２３６ｂによって閉止されている状態となる。
最終的には、貯水タンク１８内の水位は、図１０ｆに示すように、満水水位ＷＬ１００となり、本実施形態の洗浄水タンク装置１１６により実行される大洗浄モードの一連の動作が完結される。
【００６９】
上述した本発明の第２実施形態による洗浄水タンク装置１１６によれば、小タンク１３４の開口１３４ｂから貯水タンク１８内に排出される洗浄水の流量を増加させる排水増加手段として、小タンク１３４の第２の開口１３４ｃと、第２の開閉弁２３６と、この第２の開閉弁２３６に設けられた補助フロート部２３６ｄとを採用し、第２の開閉弁２３６が、第２の開口１３４ｃを開閉する弁部２３６ｂと、この弁部２３６ｂから上方に延びて第２の開口１３４ｃに挿入可能な支持部２３６ｃと、この支持部２３６ｃの上端部に設けられた補助フロート部２３６ｄとを備え、第１の開閉弁１３６と第２の開閉弁２３６の各々が上下動して各開口１３４ｂ，１３４ｃを開閉することにより、小タンク１３４の第１の開口１３４ｂ及び第２の開口１３４ｃの総開口面積（Ｓ１００＋Ｓ２００）が可変になるため、小タンク１３４の第１の開口１３４ｂ及び第２の開口１３４ｃから貯水タンク１８内へ排出される洗浄水の流量について、容易に変化させることができる。特に、排水弁装置２４の弁体２４ａが貯水タンク１８の排水口２０を開放している状態から排水口２０を閉鎖するまでは、貯水タンク１８内の洗浄水により第１の開閉弁１３６及び第２の開閉弁２３６の各々が、第１の開口１３４ｂ及び第２の開口１３４ｃの各々を閉鎖している状態になるか、又は、貯水タンク１８内の洗浄水により第１の開閉弁１３６が第１の開口１３４ｂを開放している状態で且つ小タンク１３４内の洗浄水により第２の開閉弁２３６の補助フロート部２３６ｄに浮力が発生して第２の開閉弁２３６が第２の開口２３６ｃを閉鎖している状態となっている。したがって、小タンク１３４内の洗浄水は、第１の開閉弁１３６が開放する第１の開口１３４ｂのみから比較的小さい開口面積Ｓ１００で貯水タンク１８内に排出されるため、小タンク１３４内の水位及び第２の開閉弁２３６の補助フロート部２３６ｄが下降する速度を比較的遅くすることができる。よって、簡単な構造で、排水弁装置２４の弁体２４ａが貯水タンク１８の排水口２０を開放している状態から排水口２０を閉鎖するまでは、洗浄水供給装置２２から貯水タンク１８内に給水された洗浄水が、予め貯水タンク１８内に貯水されていた洗浄水と共に便器本体２に排出されてしまう無駄水（いわゆる、「追っかけ水」）を減らすことができる。
【００７０】
また、その後、図１０ｃに示すように、小タンク１３４内の水位が、排水弁装置２４の弁体２４ａが貯水タンク１８の排水口２０を閉鎖した以降の水位ｗ１０１の位置を通過した後、小タンク１３４内の洗浄水により第２の開閉弁２３６の補助フロート部２３６ｄに浮力が発生している状態で、小タンク１３４内の洗浄水は、第１の開閉弁１３６が開放する第１の開口１３４ｂと第２の開閉弁２３６が開放する第２の開口１３４ｃの双方から比較的大きい開口面積（Ｓ１００＋Ｓ２００）で貯水タンク１８内に排出されるため、小タンク１３４の水位、フロート３８、及び第２の開閉弁２３６の補助フロート部２３６ｄが下降する速度を速めることができ、小タンク１３４内の洗浄水を短時間に排出して空状態にすることができる。したがって、浮力を発生させるためのフロート３８の内部空間（浮力発生部３８ｂ）と外部との空気を互いに置換することができるため、その後、小タンク１３４内に洗浄水を供給することによりフロート３８を上昇させて給水バルブ３２の止水動作を行う際に、フロート３８が正常に作動するように浮力を発生させることができる。これらの結果、節水化により、貯水タンク１８内に貯水されて便器本体２に供給される洗浄水量を減らしても、追っかけ水を削減することができると共に、フロート３８内の空気を置換してフロート３８を正常に作動させることができる。
【符号の説明】
【００７１】
１      水洗大便器
２      便器本体
４      ボウル部
６      トラップ管路
６ａ    排水トラップ管路の入口
８      リム
１０      第１吐水口
１２      溜水部
１４      第２吐水口
１６，１１６  洗浄水タンク装置
１８      貯水タンク（洗浄水タンク）
１８ａ    貯水タンクの底面
２０      排水口
２２      洗浄水供給装置（給水部）
２４      排水弁装置（排水弁）
２４ａ    弁体（排水弁）
２６      操作レバー
２８      操作ワイヤ
３０      給水管（給水部）
３０ａ    １次側給水路
３０ｂ    ２次側給水路
３０ｃ    ２次側給水路の流出口
３０ｄ    給水管の側面
３２      給水バルブ（給水弁）
３２ａ    バルブハウジング
３２ｂ    ダイアフラム
３２ｃ    弁体
３２ｄ    ブリード穴
３２ｅ    背圧室
３２ｆ    パイロット穴
３４      小タンク（貯水部）
３４ａ    底面
３４ｂ    開口（開口部、排水増加手段）
３４ｃ    給水管取付部
３４ｄ    固定部
３４ｅ    小タンクの上縁
３６      開閉弁（排水増加手段）
３６ａ    浮力発生部
３６ｂ    弁部
３６ｃ    支持部
３６ｄ    補助フロート部（排水増加手段）
３６ｅ    補助フロート部の下端部
３６ｆ    支持部の拡径部
３６ｇ    支持部の縮径部
３８      フロート
３８ａ    調整用軸部材取付け用の取付穴
３８ｂ    フロートの浮力発生部
３８ｃ    フロートの下端部
４０      揺動部材
４０ａ    弁部材
４２      固定軸部材
４４      調整用軸部材
４６      給水路形成部材
４６ａ    一次側給水路
４６ｂ    二次側給水路
４６ｃ    弁座
４８      フィルター部材
５０      補給水装置
５０ａ    補給水管
１３４  小タンク（貯水部）
１３４ａ  底面
１３４ｂ  第１の開口（第１の開口部）
１３４ｃ  第２の開口（第２の開口部、排水増加手段）
１３４ｅ  小タンクの上縁
１３６    第１の開閉弁
１３６ａ  浮力発生部
１３６ｂ  弁部
１３６ｃ  支持部
１３６ｄ  突起部
２３６    第２の開閉弁（排水増加手段）
２３６ａ  浮力発生部
２３６ｂ  弁部
２３６ｃ  支持部
２３６ｄ  補助フロート部（排水増加手段）
Ｓ０      小タンクの開口の開口断面積
Ｓ１      開閉弁の弁部の横断面積
Ｓ２      開閉弁の補助フロート部の横断面積
Ｓ３      開閉弁の支持部の拡径部の横断面積
Ｓ４      開閉弁の支持部の縮径部の横断面積
Ｓ５      開閉弁の支持部の拡径部と小タンクの開口との間の開口面積
Ｓ６      開閉弁の支持部の縮径部と小タンクの開口との間の開口面積
Ｓ１００  小タンクの第１の開口の開口断面積
Ｓ１０１  第１の開閉弁の弁部の横断面積
Ｓ２００  小タンクの第２の開口の開口断面積
Ｓ２０１  第２の開閉弁の弁部の横断面積
Ｓ２０２  第２の開閉弁の補助フロート部の横断面積
Ｓ２０３  第２の開閉弁の支持部の横断面積
【図１】
2014196645.tif 000003
【図２】
2014196645.tif 000004
【図３】
2014196645.tif 000005
【図４】
2014196645.tif 000006
【図５】
2014196645.tif 000007
【図６】
2014196645.tif 000008
【図７】
2014196645.tif 000009
【図８】
2014196645.tif 000010
【図９ａ】
2014196645.tif 000011
【図９ｂ】
2014196645.tif 000012
【図９ｃ】
2014196645.tif 000013
【図９ｄ】
2014196645.tif 000014
【図９ｅ】
2014196645.tif 000015
【図９ｆ】
2014196645.tif 000016
【図９ｇ】
2014196645.tif 000017
【図９ｈ】
2014196645.tif 000018
【図１０ａ】
2014196645.tif 000019
【図１０ｂ】
2014196645.tif 000020
【図１０ｃ】
2014196645.tif 000021
【図１０ｄ】
2014196645.tif 000022
【図１０ｅ】
2014196645.tif 000023
【図１０ｆ】
2014196645.tif 000024